(57)【要約】  本願は壁掛型エアコン室内機及びエアコンを開示する。壁掛型エアコン室内機は：ベースとフレームを含み、前記ベースには風道が形成され、風道の送風口の長さ方向における一側には取付板が設けられている筐体と；前記取付板の前記送風口から背を向けている側に設けられているモータアセンブリと；前記ベースに設けられ、前記送風口の長さ方向に沿って延在し、前記モータアセンブリの上方に位置する第一延伸板であって、前記第一延伸板、取付板及び前記フレームの間に一つの格納空間が囲まれて形成され、前記格納空間は開放口を有する第一延伸板と；前記フレームの内表面に設けられ、後ろへ延在して、前記開放口を少なくとも部分的に遮って、前記送風口との間に前記モータアセンブリが位置する防鼠板を含む。
2021517624.tif 000002
【特許請求の範囲】
【請求項１】
ベースとフレームとを含み、前記ベースには送風口を有する風道が形成され、前記送風口の長さ方向における一側には取付板が設けられている筐体と、
前記取付板の前記送風口から背を向けている側に設けられているモータアセンブリと；
前記ベースに設けられ、前記送風口の長さ方向に沿って延在し、前記モータアセンブリの上方に位置する第一延伸板であって、前記第一延伸板、取付板及び前記フレームの間に一つの格納空間が囲まれて形成され、前記格納空間は前記取付板と対向する一つの開放口を有する第一延伸板と、
前記フレームの内表面に設けられ、後ろへ延在して、前記開放口を少なくとも部分的に遮って、前記送風口との間に前記モータアセンブリが位置する防鼠板と、
を含む壁掛型エアコン室内機。
【請求項２】
前記モータアセンブリと前記フレームとの間の最小隙間は１０ｍｍ以下である請求項１に記載の壁掛型エアコン室内機。
【請求項３】
前記防鼠板と前記モータとの間の隙間は１０ｍｍ以下である請求項１に記載の壁掛型エアコン室内機。
【請求項４】
前記第一延伸板と前記防鼠板との間の隙間は１０ｍｍ以下である請求項１に記載の壁掛型エアコン室内機。
【請求項５】
前記第一延伸板は後に向かって且つ下へ偏って延在している請求項１に記載の壁掛型エアコン室内機。
【請求項６】
前記壁掛型エアコン室内機は、
前記ベースに設けられ、前記送風口の長さ方向に沿って延在し、前記モータアセンブリの後方に位置する第二延伸板と、
前記取付板に設けられ、前記第一延伸板と第二延伸板を接続する移行板と、
をさらに含む請求項１に記載の壁掛型エアコン室内機。
【請求項７】
前記移行板は前記モータアセンブリへ突出して設けられている階段状をしている請求項６に記載の壁掛型エアコン室内機。
【請求項８】
前記階段は、
前記第一延伸板に接続され、下へ延在している第一階段面と、
前記第一階段面と前記第二延伸板を接続し、下へ向かって且つ後に偏って延在している第二階段面と、
を含む請求項７に記載の壁掛型エアコン室内機。
【請求項９】
前記第二延伸板と前記フレームとの間の最小隙間は１０ｍｍ以下である請求項６に記載の壁掛型エアコン室内機。
【請求項１０】
前記ベースはさらに：前記取付板と前記第一延伸板を接続し、前記取付板の前記モータアセンブリに近い側に位置し、前記第一延伸板の前方に位置するベース端板を含む請求項１に記載の壁掛型エアコン室内機。
【請求項１１】
前記防鼠板と前記ベース端板との間の隙間は１０ｍｍ以下である請求項１０に記載の壁掛型エアコン室内機。
【請求項１２】
前記防鼠板と前記フレームとの接続場所には補強リブが設けられている請求項１に記載の壁掛型エアコン室内機。
【請求項１３】
壁掛型エアコン室内機は更に換気モジュールを含み、前記換気モジュールは前記筐体内に設けられ、前記換気モジュールは前記第一延伸板の風道から遠く離れた側に位置する請求項１に記載の壁掛型エアコン室内機。
【請求項１４】
壁掛型エアコン室内機を含むエアコンであって、前記壁掛型エアコン室内機は、  ベースとフレームを含み、前記ベースには送風口を有する風道が形成され、  前記送風口の長さ方向における一側には取付板が設けられている筐体と；
前記取付板の前記送風口から背を向けている側に設けられているモータアセンブリと、
前記ベースに設けられ、前記送風口の長さ方向に沿って延在し、前記モータアセンブリの上方に位置する第一延伸板であって、前記第一延伸板、取付板及び前記フレームの間に一つの格納空間が囲まれて形成され、前記格納空間は前記取付板と対向する一つの開放口を有する第一延伸板と、
前記フレームの内表面に設けられ、後ろへ延在して、前記開放口を少なくとも部分的に遮って、前記送風口との間に前記モータアセンブリが位置する防鼠板と、を含む
エアコン。
【請求項１５】
壁掛型エアコン室内機を含むエアコンであって、前記壁掛型エアコン室内機は、
ベースとフレームとを含み、
前記ベースには送風口を有する風道が形成され、前記送風口の長さ方向における一側には取付板が設けられている筐体と、
前記取付板の前記送風口から背を向けている側に設けられているモータアセンブリと、
前記ベースに設けられ、前記送風口の長さ方向に沿って延在し、前記モータアセンブリの上方に位置する第一延伸板であって、前記第一延伸板、取付板及び前記フレームの間に一つの格納空間が囲まれて形成され、前記格納空間は前記取付板と対向する一つの開放口を有する第一延伸板と、
前記フレームの内表面に設けられ、後ろへ延在して、前記開放口を少なくとも部分的に遮って、前記送風口との間に前記モータアセンブリが位置する防鼠板を含み、
前記壁掛型エアコン室内機は更に電気制御ボックスを含み、前記電気制御ボックスと前記モータアセンブリはそれぞれ前記風道の両側に位置するエアコン。
【発明の詳細な説明】
【技術分野】
【０００１】
関連出願
本願は２０１９年３月３日に出願された、出願番号２０１９１０１５９１８４．９、発明名称「壁掛型エアコン室内機及びエアコン」である中国特許出願の優先権を主張し、その全ての内容を引用により本願に組み入れる。そして２０１９年３月３日に出願された、出願番号２０１９２０２６７９６７．４、発明名称「壁掛型エアコン室内機及びエアコン」である中国特許出願の優先権を主張し、その全ての内容を引用により本願に組み入れる。
【０００２】
本願は壁掛型エアコン室内機の分野に関し、特に壁掛型エアコン室内機及びエアコンに関する。
【背景技術】
【０００３】
従来の壁掛型エアコン室内機には通常では、導風構造を駆動するモータアセンブリが設けられており、壁掛型エアコン室内機のベースとフレームの取り付け後、通常では比較的大きい通り穴或いは隙間が存在するため、壁掛型エアコン室内機の倉庫保管、運送及び取り付けや使用の過程において、鼠、虫及びゴキブリ等がこの通り穴或いは隙間からモータアセンブリの取付空間に入ることになりやすく、深刻の場合には、導線或いは他の材料、部品が噛み切られて、最終的には漏電或いは発火等の事故を起こして、使用者の身の安全をひどく脅かしてしまう。
【発明の概要】
【発明が解決しようとする課題】
【０００４】
本願の主な目的は、鼠がモータアセンブリの取付場所に入ることを阻止して、モータアセンブリとモータアセンブリを接続する配線の安全性を向上させるための壁掛型エアコン室内機を提供することである。
【課題を解決するための手段】
【０００５】
上記目的を達成するために、本願が提供する壁掛型エアコン室内機は：
ベースとフレームとを含み、前記ベースには送風口を有する風道が形成され、前記送風口の長さ方向における一側には取付板が設けられている筐体と、
前記取付板の前記送風口から背を向けている側に設けられているモータアセンブリと、
前記ベースに設けられ、前記送風口の長さ方向に沿って延在し、前記モータアセンブリの上方に位置する第一延伸板であって、前記第一延伸板、前記取付板及び前記フレームの間に一つの格納空間が囲まれて形成され、前記格納空間は前記取付板と対向する一つの開放口を有する第一延伸板と、
前記フレームの内表面に設けられ、後ろへ延在して、前記開放口を少なくとも部分的に遮って、前記送風口との間に前記モータアセンブリが位置する防鼠板と、を含む。
【０００６】
好ましくは、前記モータアセンブリと前記フレームとの間の最小隙間は１０ｍｍ以下である。
好ましくは、前記防鼠板と前記モータとの間の隙間は１０ｍｍ以下である。
【０００７】
好ましくは、前記第一延伸板と前記防鼠板との間の隙間は１０ｍｍ以下である。
【０００８】
好ましくは、前記第一延伸板は後に向かって且つ下へ偏って延在している。
【０００９】
好ましくは、前記壁掛型エアコン室内機はさらに：
前記ベースに設けられ、前記送風口の長さ方向に沿って延在し、前記モータアセンブリの後方に位置する第二延伸板と、
前記取付板に設けられ、前記第一延伸板と第二延伸板を接続する移行板と、を含む。
【００１０】
好ましくは、前記移行板は前記モータアセンブリへ突出して設けられている階段状をしている。
【００１１】
好ましくは、前記階段は：
前記第一延伸板に接続され、下へ延在している第一階段面と、
前記第一階段面と前記第二延伸板を接続し、下へ向かって且つ後に偏って延在している第二階段面と、を含む。
【００１２】
好ましくは、前記第二延伸板と前記フレームとの間の最小隙間は１０ｍｍ以下である。
【００１３】
好ましくは、前記ベースは、前記取付板と前記第一延伸板を接続し、前記取付板の前記モータアセンブリに近い側に位置し、前記第一延伸板の前方に位置するベース端板をさらに含む。
【００１４】
好ましくは、前記防鼠板と前記ベース端板との間の隙間は１０ｍｍ以下である。
【００１５】
好ましくは、前記防鼠板と前記フレームとの接続場所には補強リブが設けられている。
【００１６】
好ましくは、前記壁掛型エアコン室内機は更に換気モジュールを含み、前記換気モジュールは前記筐体内に設けられ、前記換気モジュールは前記第一延伸板の風道から遠く離れた側に位置する。
【００１７】
本願ではさらに上記の壁掛型エアコン室内機を含むエアコンを提供する。
【００１８】
本願の技術案によれば、第一延伸板、取付板及び前記フレームがモータアセンブリを囲んで設けられ、且つ前記第一延伸板が前記モータアセンブリの上方に位置するようにすることで、鼠が前記モータアセンブリの上方から前記格納空間に入るのを阻止する効果がある。本願の技術案はさらに、防鼠板を利用して格納空間の開放口を少なくとも部分的に遮ることにより、防鼠板に鼠が前記開放口から前記格納空間に入るのを阻止する効果を持たせる。これにより虫や鼠がモータアセンブリの取付空間に入るのを減少し、鼠がモータアセンブリ、導線等のエアコンの部品を破壊するのを阻止するのに有利である。
【図面の簡単な説明】
【００１９】
本願実施例の技術案をより明確に説明するため、以下では、実施例の説明に必要とされる添付図面を簡単に紹介する。下記説明における添付図面は本願の一部の実施例に過ぎないことは明らかであって、当業者にとって、創造的な努力を行わないことを前提に、これらの添付図面が示される構造により他の図面を得ることができる。
【図１】本願の壁掛型エアコン室内機の一実施例の構造模式図である。
【図２】図１における壁掛型エアコン室内機のＡにおいての部分拡大図である。
【図３】図１における壁掛型エアコン室内機のベースとモータアセンブリの構造模式図である。
【図４】図１における壁掛型エアコン室内機のパネルとモータアセンブリの構造模式図である。添付図面を参照しながら、実施例と合わせて本願目的の実現、機能特徴及び長所をさらに説明する。
【発明を実施するための形態】
【００２０】
以下、本願実施例における添付図面と合わせて、本願実施例における技術案を明確且つ完全に説明する。説明される実施例は本願の全ての実施例ではなく、本願の一部の実施例に過ぎない。本願における実施例に基づいて、当業者が創造的な努力を行わないことを前提に得られた全ての他の実施例は、本願の保護する範囲に属す。
【００２１】
もし本願実施例で方向性指示（例えば上、下、左、右、前、後…）に関わる場合、当該方向性指示はある特定の姿勢（添付図面に示す）における各部品間の相対的位置関係、運動状況等を説明するためだけに用いられ、もし当該特定の姿勢が変わる場合、当該方向性指示もそれ相当に変わることは説明すべきである。
【００２２】
また、本願実施例において「第一」、「第二」等の説明に関わる場合、当該「第一」、「第二」等の説明は、説明のために利用されるだけであって、その相対的重要性を提示又は暗示する、或いは提示される技術的特徴の数を暗示的に指定するように理解すべきではない。これにより、「第一」、「第二」に限定されている特徴は明示的或いは暗示的に少なくとも一つの当該特徴を含んでもよい。また、当業者が実現できることを前提として、各実施例の技術案は互いに組み合わせることができる。技術案の組み合わせに矛盾が生じるか、実現できない場合には、このような技術案の組み合わせが存在しない、且つ本願が請求する保護範囲にないと理解すべきである。
【００２３】
本願では壁掛型エアコン室内機を提供する。
【００２４】
図１から図４に示されるように、本願実施例において、当該壁掛型エアコン室内機は：ベース１００とフレーム２００を含み、前記ベース１００上には送風口を有する風道が形成され、前記送風口の長さ方向における一側には取付板が設けられている筐体と；前記取付板の前記送風口から背を向けている側に設けられているモータアセンブリ３００と；前記ベース１００に設けられ、前記送風口の長さ方向に沿って延在し、前記モータアセンブリ３００の上方に位置する第一延伸板１１０であって、前記第一延伸板１１０、取付板及び前記フレーム２００の間に一つの格納空間が囲まれて形成され、前記格納空間は前記取付板と対向する一つの開放口を有する第一延伸板１１０と；前記フレーム２００の内表面に設けられ、後ろへ延在して、前記開放口を部分的に遮って、前記送風口との間に前記モータアセンブリが位置する防鼠板２１０を含む。前記壁掛型エアコン室内機は通常では前記風道内の送風を案内するための導風構造を持ち、前記モータアセンブリ３００は導風構造に接続して、当該導風構造を駆動する。前記モータアセンブリ３００は本実施例において、モータと減速アセンブリを含む。前記モータアセンブリ３００は前記格納空間内に設けられ、しかも当該格納空間の内部には前記モータアセンブリ３００を接続する導線も有し、鼠がフレーム２００とベース１００との間の隙間を通ってモータアセンブリ３００の取付場所に入った後では、導線が鼠に噛み切られるおそれがある。
【００２５】
本願の技術案によれば、前記第一延伸板１１０、取付板及び前記フレーム２００の間に一つの格納空間を囲んで形成し、前記モータアセンブリ３００を当該格納空間の中に設けして、前記第一延伸板１１０が前記モータアセンブリ３００の上方に位置するようにすることで、鼠が前記モータアセンブリ３００の上方から前記格納空間に入るのを阻止する効果がある。そして防鼠板２１０を利用して格納空間の開放口を部分的に遮ることにより、防鼠板２１０に鼠が前記開放口から前記格納空間に入るのを阻止する効果を持たせる。
【００２６】
具体的に、本願では、前記第一延伸板１１０を前記取付板と接続されることにより、前記第一延伸板１１０と前記取付板との間に隙間を残さないようにして、前記第一延伸板１１０の防鼠防虫機能を強化する。
【００２７】
本実施例の前記防鼠板は上記の技術案に限定されず、他の実施例では、前記防鼠板が前記開放口を閉じるようにカバーすることで、鼠が前記開放口から前記格納空間の内部に入るのを阻止して、鼠が格納空間内のエアコン部品を破壊するのを避ける。
【００２８】
さらに、本実施例では、図２に示されるように、前記モータアセンブリ３００と前記フレーム２００との間の最小隙間は１０ｍｍ以下であり、隙間が１０ｍｍ以下である時、鼠はこの隙間から通ることはできない。前記フレーム２００と前記モータアセンブリ３００との間の隙間を０〜１０ｍｍにコントロールすることで、鼠が前記フレーム２００と前記モータアセンブリ３００との間の隙間から通るのを有効的に防止できる。
【００２９】
さらに、本実施例では、図２に示されるように、前記防鼠板２１０と前記モータとの間の隙間は１０ｍｍ以下である。前記防鼠板２１０と前記モータとの間の隙間が小さい場合、鼠が前記防鼠板２１０と前記モータとの間の隙間から通るのを有効的に阻止できる。前記モータのハウジングは前記防鼠板２１０と共同で鼠を止める効果があり、鼠がモータの後方及び前記風道から遠く離れた側から防鼠板２１０と取付板との間の空間内に入るのを防止できる。前記モータアセンブリ３００の配線は防鼠板２１０と取付板との間の空間に取り付けて、鼠が前記モータアセンブリ３００の配線をかじったり噛んだりするのを避けることができる。
【００３０】
さらに、本実施例では、図２に示されるように、前記第一延伸板１１０と前記防鼠板２１０との間の隙間は１０ｍｍ以下である。前記第一延伸板１１０と前記防鼠板２１０との間の隙間が小さい場合、鼠が前記第一延伸板１１０と前記防鼠板２１０との間の隙間から通るのを有効的に阻止でき、防鼠板２１０と前記第一延伸板の鼠を止める効果を実現する。前記防鼠板２１０と前記第一延伸板１１０の間に隙間を設けるので、前記防鼠板２１０と前記第一延伸板１１０の間の嵌合精度への要求は低く、防鼠板２１０の加工難易度を低減するのに有利である。本実施例は上記の技術案に限定されず、他の実施例では、前記防鼠板の前記第一延伸板に近い縁部には封着ゴムストリップが設けられ、前記封着ゴムストリップは前記第一防鼠板に当接されることにより、前記防鼠板と前記第一延伸板との間の隙間を取り除いて、前記防鼠板の防虫効果を強化してもよい。
【００３１】
さらに、本実施例では、図２に示されるように、前記第一延伸板１１０は後に向かって且つ下へ偏って延在している。前記第一延伸板１１０は前記モータアセンブリ３００の上方に位置するため、前記第一延伸板１１０は下へ偏って延在しるのは、前記モータアセンブリ３００と前記第一延伸板１１０との間の最小隙間を減少して、モータアセンブリ３００のハウジングと前記第一延伸板１１０とが組み合わされて、鼠を止める効果を強化するのに有利である。
【００３２】
さらに、本実施例では、図２に示されるように、前記壁掛型エアコン室内機はさらに：前記取付板に設けられ、前記送風口の長さ方向に沿って延在して、前記モータアセンブリ３００の後方に位置する第二延伸板１２０と；前記取付板に設けられ、前記第一延伸板１１０と第二延伸板１２０を接続する移行板１３０を含む。前記第二延伸板１２０は鼠がモータアセンブリ３００の後方から前記格納空間に入る路線を阻止するためのものであり、前記移行板１３０は前記第一延伸板１１０と前記第二延伸板１２０との間の隙間を封鎖して、鼠を止める効果を強化する。一方では、前記第二延伸板１２０と前記移行板１３０は同時に前記第一延伸板１１０の機械強度を強化することも可能となる。
【００３３】
さらに、本実施例では、図２、図３に示されるように、前記移行板１３０は前記モータアセンブリ３００へ突出して設けられている階段状をしており、前記移行板１３０が前記モータアセンブリ３００へ突出しているのは、前記移行板１３０と前記モータアセンブリ３００との間の隙間を減少して、鼠が移行板と前記モータアセンブリ３００の間を通り抜けにくくして、前記移行板１３０により強い鼠を止める効果を持たせるのに有利である。
【００３４】
さらに、本実施例では、図２、図３に示されるように、前記階段は：前記第一延伸板１１０に接続され、下へ延在している第一階段面１３１と；前記第一階段面と前記第二延伸板１２０を接続し、下へ向かって且つ後に偏って延在している第二階段面１３２を含む。前記第二階段面１３２が前へ向かって且つ下へ傾いて設けられる方式は同時に第二階段面１３２と第二延伸板１２０が接続される場所のモータアセンブリ３００からの距離を小さくして、前記移行板１３０と前記第二延伸板１２０の鼠を止める効果を向上させるのに有利である。
【００３５】
本実施例の前記第一延伸板１１０、第二延伸板１２０及び移行板１３０は上記の技術案に限定されず、他の実施例では、前記移行板が弧形を呈して、前記移行板が前記第一延伸板と前記第二延伸板を円滑に移行させてもよい。前記第一延伸板と前記移行板が接続される場所のモータアセンブリからの距離を小さくすると同時に、移行板と第二延伸板が接続される場所のモータアセンブリからの距離を小さくして、鼠を止める効果を向上させるのに有利である。
【００３６】
さらに、本実施例では、図２に示されるように、前記第二延伸板１２０と前記フレーム２００との間の最小隙間は１０ｍｍ以下であり、前記フレーム２００と前記第二延伸板１２０を組み合わせて鼠を止める。前記フレーム２００と前記ベース１００を組み立てた後、第二延伸板１２０とフレーム２００との間の最小隙間が小さいため、鼠が前記フレーム２００と前記第二延伸板１２０との間の隙間から通ることは不可能になる。
【００３７】
さらに、本実施例では、図２、図３に示されるように、前記ベース１００はさらに：前記取付板と前記第一延伸板１１０を接続し、前記取付板の前記モータアセンブリ３００に近い側に位置し、前記第一延伸板１１０の前方に位置するベース端板１４０を含む。前記ベース端板１４０は前記第一延伸板１１０と接続されて、鼠を止める範囲を増大させた。本実施例において、前記ベース端板１４０、前記第一延伸板１１０、前記移行板１３０、前記第二延伸板１２０及びフレーム２００が前記モータアセンブリ３００を囲んで設けられて、保護リングを形成して、鼠を止める角度が全面的であるという利点を有する。
【００３８】
さらに、本実施例では、図２に示されるように、前記防鼠板２１０と前記ベース端板１４０との間の隙間は１０ｍｍ以下である。前記防鼠板２１０は前記ベース端板１４０の下方に位置し、前記防鼠板２１０が前記フレーム２００の内側面から延在しると共に、鼠が防鼠板２１０とベース端板１４０との間の隙間から通り抜けるのを防止するために、防鼠板２１０と前記ベース端板１４０との間の隙間を１０ｍｍ以下であるようにコントロールする。本実施例では、前記防鼠板２１０が前記フレーム２００に接続され、前記ベース端板１４０が前記ベース１００に位置するため、前記ベース端板１４０と前記防鼠板２１０の間に隙間を設けることは、ベース端板１４０と前記防鼠板２１０の間の組み合わせの精度を低減させて、防鼠板の加工精度を低減させると同時に、前記フレーム２００と前記ベース１００との組み立てを便利にするのに有利である。本実施例の前記防鼠板２１０と前記ベース１００端板との間は上記の技術案に限定されず、他の実施例では、前記防鼠板の前記ベース端板に近い縁部には封着ゴムストリップが設けられ、前記封着ゴムストリップが前記ベース端板に当接されることにより、防鼠板とベース端板との間の隙間を取り除いて、防鼠板の防虫効果を強化してもよい。
【００３９】
さらに、本実施例では、前記防鼠板２１０と前記フレーム２００との接続場所には補強リブが設けられ、前記補強リブは前記防鼠板２１０の機械強度を強化する効果があり、前記補強リブは防鼠板２１０の鼠が押したり突いたりするのに抵抗する性能を強化して、前記防鼠板２１０の信頼性を強化するのに有利である。
【００４０】
さらに、本実施例において、前記壁掛型エアコン室内機は更に電気制御ボックスを含み、前記電気制御ボックスと前記モータアセンブリ３００はそれぞれ前記風道の両側に位置する。本実施例では、導風構造を駆動するためのモータアセンブリ３００は、壁掛型エアコン室内機の取付空間を合理的に利用するために、モータアセンブリ３００と電気制御ボックスをそれぞれ風道の両側に設けると同時に、エアコン送風口の位置を壁掛型エアコン室内機の中心により近いようにすることで、壁掛型エアコン室内機の外観をより美しくするのに有利である。
【００４１】
さらに、本実施例において、前記壁掛型エアコン室内機は更に換気モジュールを含み、前記換気モジュールは前記筐体内に設けられ、前記換気モジュールは前記第一延伸板１１０の風道から遠く離れた側に位置する。前記換気モジュールは室内に新鮮な空気を取り入れるためのものであるが、換気モジュールの存在は、鼠が前記換気モジュールからモータアセンブリ３００に通りやすくしてしまう。このため、前記防鼠板２１０が換気モジュールを有する壁掛型エアコン室内機においてより重要な役割を果たす。
【００４２】
本実施例では、図２、図４に示されるように、前記防鼠板２１０は後ろへモータアセンブリ３００の一側まで延在したらすぐに停止しており、続けて前記第二延伸板１２０へ延在していない。本実施例では防鼠板２１０とモータのハウジングを共同で鼠を止めるように利用すると同時に、防鼠板２１０の長さが長すぎることによるその機械強度の低下を避けると共に、防鼠板２１０を製造する材料消費と製造のコストを低減できるように、防鼠板２１０の長さをコントロールする。
【００４３】
本願は更に、壁掛型エアコン室内機を含むエアコンを提供した。当該壁掛型エアコン室内機の具体的な構造については、上記実施例を参照する。本エアコンは上記全ての実施の全ての技術案を採用したので、少なくとも上記実施例の技術案がもたらす全ての特徴を有し、ここでは逐一贅言しない。
【００４４】
以上に述べたことは本願の好ましい実施例に過ぎず、それによって本願の特許の範囲を制限するわけではない。本願の発明構想の下で、本願の明細書及び添付図面の内容を利用してなされた均等な構造変換、或いは他の関連する技術分野への直接／間接的な応用は、何れも本願の特許の保護範囲に含まれる。
【符号の説明】
【００４５】
１００  ベース
１１０  第一延伸板
１２０  第二延伸板
１３０  移行板
１３１  第一階段面
１３２  第二階段面
１４０  ベース端板
２００  フレーム
２１０  防鼠板
３００  モータアセンブリ
【図１】
2021517624.tif 000003
【図２】
2021517624.tif 000004
【図３】
2021517624.tif 000005
【図４】
2021517624.tif 000006
【国際調査報告】
2021517624.tif 000007
2021517624.tif 000008
2021517624.tif 000009
2021517624.tif 000010
2021517624.tif 000011
2021517624.tif 000012